(57)【特許請求の範囲】
【請求項１】
基板に光書き込みユニットが取り付けられた画像形成装置において、光書き込みユニットは、内部に横一列に配置された複数の発光ダイオードを備え回転調整により発光ダイオードの走査ピッチを調整可能な発光体ホルダを有し、発光体ホルダは、発光体ホルダから伸び、前記発光体ホルダを所定の回転方向に回転させるよう当該回動方向に弾発されたアーム部と、アーム部先端に接触して発光体ホルダの前記所定の回転方向における回動量を規制するねじと、前記ねじがアーム部に接触する側と反対側で前記基板に設置された弾性防振部材と、を有し、前記ねじによりアーム部を前記弾性防振部材に押圧して前記アーム部の振動を防止することを特徴とする画像形成装置。
【請求項２】
請求項１記載の画像形成装置において、
前記アーム部及び前記アーム部先端に接触するねじは、固定手段により一体的に固定されていることを特徴とする画像形成装置。
【発明の詳細な説明】
【０００１】
【発明の属する技術分野】
本発明は、改良された振動防止方法によって取り付けられた光書き込みユニットを有する画像形成装置に関する。
【０００２】
【従来の技術】
レーザープリンターに代表される光ビームによる書き込みを感光体に対して行う電子写真方式の画像形成装置において、本体構造体としてプレス板金によるものがコスト、強度、精度等の点で優れているため、従来から多く使われている。
【０００３】
図６は、従来の板金を本体構造体に用いるデジタル複写機の概略構成図であり、図中、デジタル複写機は、基板を構成する底板８１を有しさらに、該底板８１の上に一定の間隔をおいて平行に、手前側に側板８２、奥側に側板８３を設置した構成からなり、これら側板８２に(或いは側板８３又はこれら側板８２と側板８３との間に)画像形成に必要な手段である感光体ユニット８４、定着ユニット８５、クリーニングユニット８６、現像ユニット８７等を設置し保持している。なお、符号８４ｃは帯電器である。
【０００４】
感光体ユニット８４は感光体８４ａを回転可能に支持している。この感光体８４ａに光ビームを照射して画像を書き込むのが光書き込みユニット８８であり、この光書き込みユニット８８についても感光体ユニット８４と同様に、側板８２に(或いは側板８３又はこれら側板８２と側板８３との間に)固定されている。
【０００５】
光書き込みユニット８８は、記録信号に応じて変調した光ビームを出射する光源８８ａと、この光源８８ａから出射された光ビームを偏向させて出射窓８８ｋを介して感光体８４ａに導き、感光体８４ａ上を主走査方向(図６において紙面を貫く方向)に走査する偏向手段としてのポリゴンミラー８８ｂと、光源８８ａと感光体８４ａとの間に介装された光学系、つまり、結像光学系８８ｃ、ミラー８８ｍ等を備えている。
【０００６】
底板８１の下方には、給紙部があり、転写紙Ｓが適時に送り出され、レジストローラＲ１を介して、感光体８４ａからトナー像を転写され、定着ユニット８５で定着された後、排出ローラＲ２を経て排紙されるようになっている。
【０００７】
このように、光書き込みユニット８８は、前後の側板又は左右の側板８２，８３に端部を支持され側板８２，８３間に設置される。しかしながら、光書き込みユニット８８は駆動系等からの振動によりハウジングや光学素子が共振し、光ビームの感光体８４ａへの書き込み位置が本来の狙いの位置からずれるという問題が起きやすく、側板８２，８３に支持、設置されると両持ち梁状となり、中央が振動の腹になるため、更に前記の問題が起きやすくなる。
【０００８】
この問題の解決の一手段として、光書き込みユニット８８の設置を、側板８２に(或いは側板８３又はこれら側板８２と側板８３との間に)固定する代わりに光書き込みユニット８８の両サイドに図示しない取り付け座を形成し、この取り付け座によって底板８１に取り付けることが行われている。
【０００９】
【発明が解決しようとする課題】
しかしながら、この取り付け方法によっても、発光体ホルダ自体が振動抑制のための構成になっていないため駆動系からの振動により光ビームの感光体への書き込み位置が本来の位置からずれることなどの問題点があった。本発明は、このような問題点に鑑みてなされたもので、その目的は、発光体ホルダの振動を抑えることである。
【００１２】
【課題を解決するための手段】
請求項１の発明は、基板に光書き込みユニットが取り付けられた画像形成装置において、光書き込みユニットは、内部に横一列に配置された複数の発光ダイオードを備え回転調整により発光ダイオードの走査ピッチを調整可能な発光体ホルダを有し、発光体ホルダは、発光体ホルダから伸び、前記発光体ホルダを所定の回転方向に回転させるよう当該回動方向に弾発されたアーム部と、アーム部先端に接触して発光体ホルダの前記所定の回転方向における回動量を規制するねじと、前記ねじがアーム部に接触する側と反対側で前記基板に設置された弾性防振部材と、を有し、前記ねじによりアーム部を前記弾性防振部材に押圧して前記アーム部の振動を防止することを特徴とする画像形成装置である。
【００１４】
請求項２の発明は、請求項１記載の画像形成装置において、前記アーム部及び前記アーム部先端に接触するねじは、固定手段により一体的に固定されていることを特徴とする画像形成装置である。
【００１５】
【発明の実施の形態】
以下、本発明の実施形態について説明する。
（実施形態１）本実施形態は、光書き込みユニットに振動が伝わるのを抑制するために光書き込みユニットと底板との間に弾性部材を介し固定して取り付けることを特徴とする。
図１及び図２は、本発明の実施形態に係る光書き込みユニットの底板に固定する形態を示すためのそれぞれ平面図及び側面図である。
ここで、光書き込みユニットとは、光書き込み手段である記録信号に応じて変調した光ビームを出射する光源、この光源から出射された光ビームを偏向させて感光体上を主走査方向に走査する偏向手段、光源と感光体の間に設置された光学系が一つのハウジングに収められたものであり、光ビームを感光体上に走査することにより記録信号に応じた画像を感光体上に形成して画像記録を行うものである。
【００１６】
図１において、底板３は鋼板製で剛性を持たせるために弁当箱形状を有しており、立ち上がった相対向する側面が側板１及び側板２によりサンドイッチ型に図示しない固定手段により固定される。この底板３に光書き込みユニット４が概略４隅を固定用ねじ５で固定される。
このとき図２に示すように光書き込みユニット４の底面裏側の略中央部と底板３との間にゴム等の弾性部材６を挟み込んで固定する。
【００１７】
なお、光書き込みユニット４の一壁面には、後述する記録信号に応じて変調した光ビームを射出するレーザーダイオード（以下、ＬＤと略称）ホルダ７が設置される。また、光書き込みユニット４内には、図示しない結像光学系やミラー等が設置され、光書込みユニットを構成する。
【００１８】
本実施形態によれば、光書き込みユニット４は、４隅を固定用ねじ５により底板３に固定されるため、振動を受けた場合、その中央部において一番振幅が大きくなるが、光書き込みユニット４の略中央部が弾性部材６により押圧されているので、光書き込みユニット４の振動を低減することができる。
【００１９】
（実施形態２）本実施形態は、光書込みユニットに取り付けられる発光体ホルダを弾性部材にて押圧保持することを特徴とする。
図３は、発光体ホルダ取付部を図１の矢印Ｓ方向からみた側面図である。また、図４は図３のＡ−Ａ切断面における断面図である。
図３及び図４において、発光体ホルダ７は筐体部７ａと円筒部７ｂからなり、筐体部７ａから飛び出るように円筒部７ｂが植設されている。この発光体ホルダ７は、光書込みユニット４の一壁面に設けられた穴に円筒部７ｂを差込み、その先端部を光書込みユニット４に設けた支持壁８の穴部に通すことによって保持される。このとき円筒部７ｂの周囲に捻りコイルばね１１を伸長力に抗して介挿し、円筒部７ｂの先端部に固定リング１３を嵌着して固定する。従って、発光体ホルダ７は捻りコイルばね１１に押圧されて保持される。
【００２０】
発光体ホルダ７は、筐体部７ａに円筒部７ｂと直交する方向に伸びるアーム部９を有し、その裏側に捻りコイルばね１１の延長端部１１ａが係合している。このとき捻りコイルばね１１の捻り力はアーム部９を図３の時計方向に回転させるように作用しており、この回転力は光書込みユニット４の一部に取り付けられた調整ねじ１０とバランスするように調整される。円筒７ｂ内にはＬＤ１４、１５が横一列に取り付けられているので、この回転調整によりＬＤの走査ピッチを調整することができることになる。そして、発光体ホルダ７のアーム部９の振動を抑えるために、アーム部９の先端部で調整ねじ１０の直下に弾性防振部材１６を介在させる。
【００２１】
本実施形態によれば、発光体ホルダ７即ちアーム部９の回転を調整ねじ１０により捻りコイルばね１１の捻り力に抗して調整しつつ、弾性防振部材１６に押圧して固定するので、発光体ホルダ７の特に回転方向の振動を抑制することができる。従って、振動による光ビームの感光体への走査ピッチのずれをなくし、書き込み位置のずれをなくすことができる。
【００２２】
（実施形態３）本実施形態は、発光体ホルダのアーム部と発光体ホルダの回転調整ねじ間の振動を抑制することを特徴する。
図５は、発光体ホルダのアーム部と発光体ホルダの回転調整ねじ間の振動を抑制する形態を示す側面図であり、図中、図３と同じ構成部品には同じ参照番号を付し説明を省略する。
調整ねじ１０は、通常、金属製であり、アーム部９は硬質のプラスチックで構成される。従って、両者は接触部において所謂なじみが悪く、振動によってアーム部９が調整ねじ１０からジャンプするような動作を行う。そこで、接触部であるアーム部９の先端部と調整ねじ１０の先端部を接着材１２により固定する。接着材に代えてアーム部９及び調整ねじ１０のいずれか又は両方に固定手段を設けてもよい。
【００２３】
本実施形態によれば、接触部であるアーム部９の先端部と調整ねじ１０の先端部が接着材１２により固定されるので、振動によってアーム部９が調整ねじ１０からジャンプするような動作を抑制することができる。
【００２４】
【発明の効果】
請求項１又は２に対応する効果：簡単な構成で発光体ホルダの振動を抑えることができる。従って、光ビームの感光体への書き込み位置のずれをなくすことができる。
【図面の簡単な説明】
【図１】本発明の実施形態に係る光書き込みユニットの取り付け平面図である。
【図２】本発明の実施形態に係る光書き込みユニットの取り付け断面図である。
【図３】本発明の実施形態に係る発光体保持具の側面図である。
【図４】本発明の実施形態に係る発光体保持具の断面図である。
【図５】本発明の実施形態に係る発光体保持具の側面図である。
【図６】従来の板金を本体構造体に用いるデジタル複写機の概略構成図である。
【符号の説明】
１・・側板、２・・側板、３・・底板、４・・光書き込みユニット、６・・弾性部材、７・・ＬＤホルダ、８・・支持壁、９・・アーム部、１０・・調整ねじ、１１・・捻りコイルばね、１２・・接着材、１６・・弾性防振部材
【図１】
0004492910.tif 000002
【図２】
0004492910.tif 000003
【図３】
0004492910.tif 000004
【図４】
0004492910.tif 000005
【図５】
0004492910.tif 000006
【図６】
0004492910.tif 000007